(57)【特許請求の範囲】
【請求項１】
チェーン状にケーブル接続された機器を自動認識するネットワークに接続されるものであって、夫々放送方式に対応した処理を行うことによって受信した放送信号からトランスポートストリームを得る複数種類の個別受信部と、
前記個別受信部の夫々に内蔵され、前記ネットワークを介して伝送された情報に基づいて、前記得られたトランスポートストリームのうち指定された番組に基づくトランスポートストリームのみを選択する選択回路と、
前記個別受信部の夫々に内蔵され、前記ネットワークで伝送可能な信号の形態と前記選択回路が選択したトランスポートストリームの信号形態との間で信号形態の変換を行う第１のインターフェース回路と、
前記ネットワークで伝送可能な信号の形態と前記トランスポートストリームの信号形態との間で信号形態の変換を行う第２のインターフェース回路と、
前記第２のインターフェース回路を内蔵して、前記第２のインターフェース回路を介して取り込んだ前記トランスポートストリームをデコードし前記選択回路が選択した番組に基づくデコード出力を得る、前記複数種類の個別受信部に共通の共通受信部と、
前記共通受信部に内蔵され、前記個別受信部の夫々の前記選択回路に対して、個別受信部及び番組の選択のための情報を前記ネットワークに出力する指定回路と、
を具備したことを特徴とするディジタル放送受信装置。
【請求項２】
前記共通受信部は、前記複数種類の個別受信部が受信した放送信号に含まれる番組情報に基づくトランスポートストリームをデコードして番組情報表示出力する表示出力手段を有し、視聴又は記録する番組を前記個別受信部に指定するための選択をユーザーに設定可能とするユーザーインタフェース手段を有することを特徴とする請求項１に記載のディジタル放送受信装置。
【請求項３】
前記共通受信部は、前記デコード出力を所定のテレビジョン方式の放送信号に変換することにより、受信した放送信号に基づく番組を視聴可能にしたことを特徴とする請求項１に記載のディジタル放送受信装置。
【請求項４】
前記ネットワーク上に設けられ、前記第１又は第２のインターフェース回路を介して前記トランスポートストリーム又はそのデコード出力が与えられて記録を行う記録手段を更に具備したことを特徴とする請求項１に記載のディジタル放送受信装置。
【請求項５】
ＩＥＥＥ１３９４規格のネットワークと、
前記ネットワークに接続された複数の個別受信部と、
前記ネットワークに接続された１つの共通受信部と、
前記複数の個別受信部にそれぞれ内蔵され、それぞれ放送方式に対応した処理を行うことによって受信した放送信号からトランスポートストリームを得る受信手段と、
前記複数の個別受信部にそれぞれ内蔵され、前記ネットワークを介して伝送された情報に基づいて、前記受信手段によって得られたトランスポートストリームのうち指定された番組に基づくトランスポートストリームのみを選択する選択回路と、
前記複数の個別受信部にそれぞれ内蔵され、前記ネットワークで伝送可能な信号の形態と前記選択回路が選択したトランスポートストリームの信号形態との間で信号形態の変換を行う第１のインターフェース回路と、
前記共通受信部に内蔵され、前記ネットワークで伝送可能な信号の形態と前記トランスポートストリームの信号形態との間で信号形態の変換を行う第２のインターフェース回路と、
前記共通受信部に内蔵され、前記第２のインターフェース回路を介して取り込んだ前記トランスポートストリームをデコードして、前記選択回路が選択した番組に基づくデコード出力を得るデコード回路と、
前記共通受信部に内蔵され、前記複数の個別受信部の前記選択回路に対して、個別受信部及び番組の選択のための情報を前記ネットワークに出力する指定回路と、
前記ネットワークに接続され、前記第１又は第２のインターフェース回路を介して前記トランスポートストリーム又はそのデコード出力が与えられて記録を行う記録装置と、
を具備したことを特徴とするディジタル放送受信装置。
【請求項６】
複数種類の放送方式に対応した処理を行うことによって受信した放送信号からトランスポートストリームを得る手順と、
前記複数種類の放送方式に対応した処理によって得られたトランスポートストリームのうち、指定された番組に基づくトランスポートストリームのみを選択する選択手順と、
複数の装置をチェーン状に接続することで信号転送が可能となる所定のネットワークで伝送可能な信号の形態と前記トランスポートストリームの信号形態との間で信号形態の変換を行う手順であって、前記選択手順において選択されたトランスポートストリームのみについて信号形態の変換を行うインターフェース手順と、
前記インターフェース手順によって信号形態が変換された前記トランスポートストリームを前記所定のネットワークを介して伝送する手順と、
前記インターフェース手順によって転送された前記トランスポートストリームを取り込んでデコードし選択された番組に基づくデコード出力を得る手順とを具備したことを特徴とするディジタル放送受信方法。
【発明の詳細な説明】
【０００１】
【発明の属する技術分野】
本発明は、複数の放送方式のディジタル放送を受信するディジタル放送受信装置及びディジタル放送受信方法に関する。
【０００２】
【従来の技術】
近年、通信衛星を利用したＣＳディジタル放送（ディジタル衛星放送）が普及しようとしている。ＣＳディジタル放送は、ＭＰＥＧ（Moving Picture Experts Group）２による圧縮技術を採用することによって多チャンネル化を可能にすると共に小型アンテナ化も可能にしている。また、ＣＳディジタル放送は、ペイパービューによる番組毎の課金システムを採用することができ、更に、番組表を表示する電子番組表（ＥＰＧ）の機能も有する。現在、ＣＳディジタル放送用の受信機としては、Ｐｅｒｆｅｃ−ＴＶ！用のものが商品化されているが、更に、Ｊ−ＳＫＹＢ及びＤｉｒｅｃ−Ｔｖ  ＪＡＰＡＮによるＣＳディジタル放送も予定されており、これらの放送用の受信機も開発されている。
【０００３】
図６はこのような複数のディジタル放送を受信可能にするシステムを説明するためのブロック図である。
【０００４】
受信機１乃至５は、夫々、地上波によるディジタル放送用、Ｊ−ＳＫＹＢ用、Ｐｅｒｖｅｃ−ＴＶ！用、Ｄｉｒｅｃ−ＴＶ！用及び他のディジタル放送用の受信機である。受信機１乃至５は、同様の構成であり、いずれも、チューナ、復調及び誤り訂正回路、デスクランブル回路、デマルチプレクサ、ＴＳデコーダ、ＭＰＥＧ２デコーダ、ＮＴＳＣエンコーダ及びＤ／Ａコンバータを有する。
【０００５】
各受信機１乃至５の図示しないアンテナに誘起した高周波放送信号は、夫々チューナ１Ａ乃至５Ａに供給され、所定のチャンネルが選局される。チューナ１Ａ乃至５Ａの出力は夫々復調及び誤り訂正回路１Ｂ乃至５Ｂに供給される。ディジタル放送信号の変復調方式は、放送毎に異なり、各復調及び誤り訂正回路１Ｂ乃至５Ｂは、変復調方式に対応した例えばＱＰＳＫ復調等の復調処理を行う。
【０００６】
放送局側では、契約視聴者以外による視聴を防止するために、放送信号にスクランブルを施している。デスクランブル回路１Ｃ乃至５Ｃは、入力されたディジタル信号に施されているスクランブルを解除して夫々デマルチプレクサ１Ｄ乃至５Ｄに出力する。
【０００７】
なお、ＩＣカード１Ｉ乃至４Ｉは、視聴契約内容を記憶するものである。視聴契約内容によって、受信したチャンネルのデスクランブルを行うか否かが決定される。モデム１Ｊ乃至４Ｊは、ＩＣカード１Ｉ乃至４Ｉからの記憶内容を図示しない電話回線を介して放送局に転送するようになっている。放送局は、転送された情報に基づいて課金等を行う。
【０００８】
上述したように、ディジタル衛星放送は多チャンネル化されていると共にＥＰＧが多重されている。デマルチプレクサ１Ｄ乃至５Ｄは、入力されたディジタル放送信号から１チャンネル分の映像，音声データ及びＥＰＧを取り出してＴＳデコーダ１Ｅ乃至５Ｅに出力する。
【０００９】
ＭＰＥＧ２規格では、複数のプログラムを１つのストリームで伝送することを考慮したトランスポートストリーム（Transport Stream （ＴＳ））でデータを伝送することができる。トランスポートストリームは、固定長のパケット（トランスポートパケット）によって構成されており、ビデオデータ、音声データ及びその他のデータを含んでいる。デマルチプレクサ１Ｄ乃至５Ｄの出力はトランスポートストリームであり、各ＴＳデコーダ１Ｅ乃至５Ｅは、入力されたトランスポートストリームから１プログラムのストリーム（ＰＳ）を抽出して出力する。
【００１０】
各ＭＰＥＧ２デコーダ１Ｆ乃至５Ｆによって、ＴＳデコーダ１Ｅ乃至５Ｅからのプログラムストリームがデコードされる。即ち、ＭＰＥＧ２デコーダ１Ｆ乃至５Ｆは、オーディオデコーダ及びビデオデコーダ等を含み、ＭＰＥＧ２オーディオ規格によって圧縮されているオーディオデータをディジタル音声信号に戻し、ＭＰＥＧ２ビデオ規格によって圧縮されているビデオデータをディジタル映像信号に戻してＮＴＳＣエンコーダ１Ｇ乃至５Ｇに出力する。
【００１１】
ＮＴＳＣエンコーダ１Ｇ乃至５Ｇは、入力されたディジタル音声信号及びディジタル映像信号をＮＴＳＣ規格の信号に変換してＤ／Ａコンバータ１Ｈ乃至５Ｈに出力する。Ｄ／Ａコンバータ１Ｈ乃至５Ｈによって、ディジタルのＮＴＳＣ信号はアナログ信号に変換されて、ＮＴＳＣ放送用のテレビジョン受像機（ＴＶ）６に供給される。こうして、ＴＶ６によって各種のディジタル放送を視聴することができる。
【００１２】
しかしながら、上述したように、放送毎に変調方式及びスクランブル方式等が異なることから、複数の放送を視聴可能とするためには、図６に示すように、各放送に対応した受信機が必要であるという問題があった。また、複数の受信機をＴＶに接続するための配線が複雑であり、また、ＴＶに多くのビデオ入力端子を設けるか又はビデオセレクタが必要となるという問題もあった。
【００１３】
【発明が解決しようとする課題】
このように、従来、複数のディジタル放送を受信可能にするためには、各放送に対応した受信機を用意する必要があり、また、テレビジョン受像機との接続のために、配線が複雑となり、テレビジョン受像機側に多くのビデオ入力端子を設けるか又はビデオセレクタが必要となるという問題もあった。
【００１４】
本発明はかかる問題点に鑑みてなされたものであって、複数の放送を視聴可能にする場合でも、ネットワーク化してトランスポートストリームを伝送して装置の共通化を図ることにより、装置規模を縮小することができるディジタル放送受信装置及びディジタル放送受信方法を提供することを目的とする。
【００１５】
また、本発明は、複数の放送を視聴可能にする場合でも、配線を簡単化すると共に、ビデオセレクタを設けることなく、表示装置の端子数を低減させることができるディジタル放送受信装置及びディジタル放送受信方法を提供することを目的とする。
【００１６】
【課題を解決するための手段】
本発明に係るディジタル放送受信装置は、チェーン状にケーブル接続された機器を自動認識するネットワークに接続されるものであって、夫々放送方式に対応した処理を行うことによって受信した放送信号からトランスポートストリームを得る複数種類の個別受信部と、前記個別受信部の夫々に内蔵され、前記ネットワークを介して伝送された情報に基づいて、前記得られたトランスポートストリームのうち指定された番組に基づくトランスポートストリームのみを選択する選択回路と、前記個別受信部の夫々に内蔵され、前記ネットワークで伝送可能な信号の形態と前記選択回路が選択したトランスポートストリームの信号形態との間で信号形態の変換を行う第１のインターフェース回路と、前記ネットワークで伝送可能な信号の形態と前記トランスポートストリームの信号形態との間で信号形態の変換を行う第２のインターフェース回路と、前記第２のインターフェース回路を内蔵して、前記第２のインターフェース回路を介して取り込んだ前記トランスポートストリームをデコードし前記選択回路が選択した番組に基づくデコード出力を得る、前記複数種類の個別受信部に共通の共通受信部と、前記共通受信部に内蔵され、前記個別受信部の夫々の前記選択回路に対して、個別受信部及び番組の選択のための情報を前記ネットワークに出力する指定回路と、を具備したことを特徴とする。
【００１７】
本発明の請求項１において、少なくとも１種類以上の個別受信手段によって、少なくとも１種類以上の放送方式の放送信号が受信されてトランスポートストリームが得られる。このトランスポートストリームはインターフェース手段によって所定のネットワーク上を伝送され、共通受信手段によって受信される。共通受信手段は、トランスポートストリームをデコードしてデコード出力を得る。こうして、複数種類の放送方式の放送信号であっても、１つの共通受信手段によってデコード出力を得ることを可能にする。
【００１８】
本発明の請求項７において、少なくとも１種類以上の放送信号は受信されてトランスポートストリームが得られる。このトランスポートストリームはネットワーク手順によってネットワーク上を伝送され、デコード出力が得られる。これにより、放送信号からトランスポートストリームを得る装置と、トランスポートストリームからデコード出力を得る装置とを分離可能にし、１種類以上の放送信号に共通の処理を共通の装置で処理可能にする。
【００１９】
【発明の実施の形態】
以下、図面を参照して本発明の実施の形態について詳細に説明する。図１は本発明に係るディジタル放送受信装置の一実施の形態を示すブロック図である。
【００２０】
上述したように、ディジタル放送においては、放送毎に変調方式及びスクランブル方式等が異なる。従って、復調及びデスクランブルを行う回路については、各放送毎に特有の回路を備える必要がある。本実施の形態においては、デスクランブル処理後のディジタル放送信号を共通の回路によって処理することによって、装置規模を低減するようにしている。
【００２１】
デスクランブル処理によって得たディジタル放送信号はＭＰＥＧ２トランスポートストリームである。本実施の形態は、ＩＥＥＥ（The Institute of Electrical and Electronics Engineers, Inc.）１３９４規格のケーブルを介してＭＰＥＧ２トランスポートストリームを伝送することにより、装置規模を低減している。この場合において、トランスポートストリームの全てを伝送するのではなく、所定の番組又はＥＰＧのトランスポートストリームのみを伝送することによって、伝送効率を効率化するようにしている。
【００２２】
即ち、図１に示すように、本実施の形態においては、各放送毎に特有の回路として個別受信部Ａ，Ｂ，Ｃ，…を有している。例えば、個別受信部Ａ乃至Ｅは、ＪＳＫＹＢ用、ＤＶＢ用、ＤＳＳ用、Ｄｉｒｅｃ−ＴＶ！用、Ｐｅｒｆｅｃ−ＴＶ！用である。個別受信部Ａ，Ｂ，Ｃ，…は、相互に同様の構成であり、いずれもチューナ、復調及び誤り訂正回路、デスクランブル回路、デマルチプレクサ、１３９４Ｉ／Ｆ回路及びＴＳ選択処理回路によって構成されている。なお、個別受信部Ｂ，Ｃ，…については、ＴＳ選択処理回路の図示を省略している。
【００２３】
個別受信部Ａには端子11を介して図示しないＪＳＫＹＢアンテナからの高周波信号が入力される。チューナＡ1 は、入力された高周波信号から所定のチャンネルの信号を選局して、復調及び誤り訂正回路Ａ2 に供給する。復調及び誤り訂正回路Ａ2 は、ＪＳＫＹＢの変復調方式に対応した復調処理を行うと共に、ＪＳＫＹＢの誤り訂正処理に対応した誤り訂正処理を行って、デスクランブル回路Ａ3 に出力する。
【００２４】
デスクランブル回路Ａ3 は、ＪＳＫＹＢのスクランブル処理に対応したデスクランブル処理によって、入力された信号に施されているスクランブルを解除してデマルチプレクサＡ4 に出力する。デスクランブル回路Ａ3 の出力は、ＭＰＥＧ２トランスポートストリームであり、多チャンネルのディジタル放送信号を含んでいる。デマルチプレクサＡ4 は後述するＴＳ選択処理回路Ａ6 からの選択信号に基づいて、例えば所定の番組の映像，音声データのトランスポートストリーム又はＥＰＧ等のトランスポートストリームを取り出して１３９４Ｉ／Ｆ回路Ａ5 に出力するようになっている。
【００２５】
１３９４Ｉ／Ｆ回路Ａ5 は、ＩＥＥＥ１３９４規格のインターフェースである。ＩＥＥＥ１３９４規格は、マルチメディア用途に適した低コストの周辺インターフェースとして普及しようとしている。ＩＥＥＥ１３９４は、複数のチャンネルの多重転送が可能であると共に、映像及び音声データ等を一定時間（１２５μ秒）以内で転送することを保証するアイソクロノス（isochonous ）転送機能を有している。
【００２６】
１３９４Ｉ／Ｆ回路Ａ5 は、入力されたＭＰＥＧ２規格のトランスポートストリームをＩＥＥＥ１３９４のアイソクロノス（isochonous ）パケットに変換して１３９４ケーブル12に出力するようになっている。なお、トランスポートストリームは、複数のプログラムを１つのストリームで伝送するものであり、１バイトの同期信号（以下、SYNCという）を含む１８８バイトの固定長のパケット（トランスポートパケット）によって構成されている。
【００２７】
ＭＰＥＧトランスポートストリームの伝送については、ＩＥＥＥ１３９４のデータプロトコルを規定しているＩＥＣ１８８３においてその伝送プロトコルが決められている。この伝送プロトコロについては、日経エレクトロニクス1996．1．29にも記載されており、トランスポートストリームの転送レートに応じて、ＩＥＥＥ１３９４のパケット内のデータ量を可変するようになっている。
【００２８】
例えば、１アイソクロノスパケットで１トランスポートパケットをそのまま転送することも可能である。しかし、トランスポートストリームの転送レートが低い場合には、１アイソクロノスパケットに１トランスポートパケットを割り当てることは無駄である。この理由から、トランスポートストリームの転送レートに応じてトランスポートストリームを分割して伝送するのである。
【００２９】
即ち、１３９４Ｉ／Ｆ回路Ａ5 は、トランスポートパケットに４バイトのソースパケットヘッダを付加した１９２バイトを複数のデータブロックに分割する。１９２バイトのパケットを１９２バイト×２個、９６×４個、４８×８個又は２４×１６個のブロックに分割するのである。これらの分割方法はデータレートに応じて決定される。
【００３０】
例えば、ＭＰＥＧ２のトランスポートストリームの伝送レートが３Ｍｂｐｓである場合には、４８バイト単位に分割する。４８バイト単位のデータをアイソクロノスパケット単位に変換する。アイソクロノスサイクルは１２５μ秒であり、アイソクロノス転送における伝送レートを考慮すると、１アイソクロノスパケットに４８バイト単位のデータブロックの２個又は３個を割り当てることができる。
【００３１】
１３９４Ｉ／Ｆ回路Ａ5 は、アイソクロノスサイクルで３ブロック又は２ブロックのデータをＩＥＥＥ１３９４ケーブル12を介して伝送する。
【００３２】
上述したように、ＭＰＥＧ２規格のトランスポートパケットはマルチプログラム（チャンネル）に対応しており、復号化時において時分割で伝送される複数のプログラムの中から所望のプログラムのパケットを選択することができる。この選択のために、トランスポートパケットは、情報を伝送するペイロード（Payload ）の前にリンクレベルヘッダ（Link Level Header ）を付加して伝送される。トランスポートパケット１８８バイトのうち４バイトがリンクレベルヘッダである。
【００３３】
リンクレベルヘッダは、先頭に同期バイト（sync_byte ）を配列し、以後、ビットエラーの有無を示すエラーインジケータ（transport packed error indicator）、ＰＥＳパケットの開始を示すユニット開始表示（PES packet start indicator）、パケットの重要度を示すトランスポートパケットプライオリティ（transport priority）、パケットの識別情報であるＰＩＤ（Packet identification ）、スクランブルの有無を示すスクランブル制御（stransport scrambling control ）、ペイロードの有無等を示すアダプテーションフィールド制御（adaptation field control）、同一ＰＩＤの連続性を示す巡回カウンタ（continuity counter）を順次配列して構成する。
【００３４】
ＴＳ選択処理回路Ａ6 は、後述するように、１３９４Ｉ／Ｆ回路Ａ5 を介して番組を選択するための情報が与えられ、トランスポートストリームのＰＩＤを参照することによって、トランスポートパケットから所望のプログラムのみを選択するための選択信号をデマルチプレクサＡ4 に供給するようになっている。
【００３５】
他の個別受信機Ｂ，Ｃ，…の構成も個別受信機Ａと同様であり、夫々、ＤＶＢ放送、ＤＳＳ放送、Ｄｉｒｅｃ−ＴＶ！放送、Ｐｅｒｆｅｃ−ＴＶ！放送、…から所望のプログラムのトランスポートストリームをアイソクロノスパケットに変換して１３９４ケーブル12に出力するようになっている。
【００３６】
共通受信部13は、１３９４Ｉ／Ｆ回路14、ＴＳデコーダ15、ＭＰＥＧ２デコーダ16、ＮＴＳＣエンコーダ17、Ｄ／Ａコンバータ18、コントローラ19、グラフィカルユーザーインターフェース（Graphical User Interface）（以下、ＧＵＩという）20、モデム21及びＩＣカード読み取り装置23によって構成されている。
【００３７】
１３９４Ｉ／Ｆ回路14は、１３９４ケーブル12に流れているデータとＭＰＥＧ２のトランスポートストリームとのインターフェースを行う。１３９４Ｉ／Ｆ回路14は、１３９４ケーブル12を介して入力された１３９４パケットをトランスポートストリームに戻してＴＳデコーダ15に供給する。ＴＳデコーダ15は、入力されたトランスポートストリームをデコードしてプログラムストリーム（ＰＳ）をＭＰＥＧ２デコーダ16に出力する。
【００３８】
ＭＰＥＧ２デコーダ16は、オーディオデコーダ及びビデオデコーダ等を有しており、入力されたプログラムストリームのうちＭＰＥＧ２オーディオ規格によって圧縮されているオーディオデータをディジタル音声信号に戻し、ＭＰＥＧ２ビデオ規格によって圧縮されているビデオデータをディジタル映像信号に戻してＮＴＳＣエンコーダ17に出力する。
【００３９】
ＮＴＳＣエンコーダ17は、入力されたディジタル音声信号及びディジタル映像信号をＮＴＳＣ規格の信号に変換してＤ／Ａコンバータ18に出力する。Ｄ／Ａコンバータ18は、ディジタルのＮＴＳＣ信号をアナログ信号に変換して、図示しないＮＴＳＣ放送用のモニタに出力するようになっている。
【００４０】
ＴＳデコーダ15の出力には通常番組のデータだけでなくＥＰＧ情報も含まれる。ＴＳデコーダ15はＥＰＧ情報をコントローラ19に供給するようになっている。ＧＵＩ20は、端子22を介して図示しない赤外線（ＩＲ）ポートからの信号が与えられて、例えばユーザーのリモコン操作に基づく信号をコントローラ19に供給するようになっている。
【００４１】
コントローラ19は、送受信機指定回路25及び画面表示回路26を有している。画面表示回路26は、ＥＰＧ情報に基づく番組情報表示を表示するための画面表示データを作成すると共に、ＧＵＩ20からのデータに基づいて番組情報表示を変更した画面表示データを作成してＮＴＳＣエンコーダ17に供給するようになっている。例えば、画面表示回路26は、ＥＰＧ情報に基づく表示に、視聴を希望する番組の入力欄及び記録を希望する番組の入力欄等の表示を付加した番組情報表示を表示させるための画面表示データを作成することができる。
【００４２】
また、ユーザーは図示しないリモコン装置によって、映出させる番組を指定することができる。ＧＵＩ20はユーザーが指定した番組を示す番組番号のデータをコントローラ19に出力する。この場合には、画面表示回路26は、ユーザーのリモコン操作に対応した文字等を所定の記入欄に記入した表示を表示させるための画面表示データを作成することができる。コントローラ19の送受信機指定回路25は、ＧＵＩ20からの番組番号データに基づいて、個別受信部Ａ，Ｂ，…のうちのいずれの受信部を番組の送信機として指定するかを決定してその受信部に通知するようになっている。
【００４３】
ＩＥＥＥ１３９４においてアイソクロノス伝送を行う場合には、アイソクロノスリソースマネージャ（isochonous resource manager ）によって、送信機及び受信機に対して、伝送しようとするアイソクロノスデータの帯域及び使用チャンネル番号（ＩＥＥＥ１３９４のパケットのチャンネル番号）を指定しなければならない。コントローラ19は、このアイソクロノスリソースマネージャの機能を有しており、アイソクロノスデータの送信機として指定した個別受信部（番組送信機）に対して、ＩＥＥＥ１３９４で伝送可能な帯域のうち使用可能な帯域と、現在使用されていないＩＥＥＥ１３９４のパケットのチャンネル番号とを指定する。また、コントローラ19は、アイソクロノスデータの受信機も決定するようになっているが、この例では、受信機として共通受信部13自体を指定する。
【００４４】
ＩＣカード読み取り装置23は、図示しないＩＣカードに記憶されているデータを読出してコントローラ19及びモデム21に出力することができるようになっている。ＩＣカードには、視聴契約内容等を記憶させることができる。コントローラ19は、ＩＣカードに記憶されているデータに基づいて、個別受信部Ａ，Ｂ，…を制御することができるようになっている。例えば、コントローラ19は、ＩＣカードに記憶されているデータに基づいて、受信チャンネルのデスクランブルを行うか否かを決定して、個別受信部Ａ，Ｂ，…を制御する。
【００４５】
モデム21は、ＩＣカードの記憶内容を図示しない電話回線を介して放送局に転送することができるようになっている。放送局は、転送された情報に基づいて課金等を行う。
【００４６】
次に、このように構成された実施の形態の動作について図２の説明図を参照して説明する。図２はＥＰＧ情報に基づく画面表示を示している。
【００４７】
個別受信部Ａ，Ｂ，…は、夫々ＪＳＫＹＢ放送，ＤＶＢ放送，ＤＳＳ放送，Ｄｉｒｅｃ−ＴＶ！放送，Ｐｅｒｆｅｃ−ＴＶ！放送，…を受信する。例えば、ＪＳＫＹＢアンテナに誘起した高周波信号は端子11を介して個別受信部ＡのチューナＡ1 に供給される。チューナＡ1 によって所望のチャンネルが選局され、復調及び誤り訂正回路Ａ2 によって、復調及び誤り訂正処理が行われる。
【００４８】
スクランブルが施されている番組を視聴する場合には、デスクランブル回路Ａ3 においてデスクランブル処理が施される。デスクランブル回路Ａ3 の出力はＭＰＥＧ２のトランスポートストリームである。他の個別受信部Ｂ，Ｃ，…においても、同様の処理が行われる。
【００４９】
本実施の形態においては、複数の個別受信部Ａ，Ｂ，…で受信した番組のうち共通受信部13のコントローラ19によって指定された番組のみが１３９４ケーブル12を介して共通受信部13に伝送される。いま、ユーザーは、受信する番組を選択するために、モニタ上に番組情報表示を表示させるものとする。
【００５０】
コントローラ19は、ユーザーによって特に放送局が指定されていない場合には、各個別受信部Ａ，Ｂ，…を順次送信機として指定して、各放送局の番組情報を順番に表示させる。即ち、先ず、コントローラ19は、例えば、ＪＳＫＹＢ放送の番組情報表示を表示させるために、送信機として個別受信部Ａを指定する。また、コントローラ19は、デスクランブル回路Ａ3 の出力中のＥＰＧ情報を送信するように個別受信部Ａに対して指示を送る。
【００５１】
ＴＳ選択処理回路Ａ6 は、トランスポートストリーム中のＰＩＤによって、ＥＰＧ情報のトランスポートストリームを抽出するための選択信号をデマルチプレクサＡ4 に出力する。こうして、デスクランブル回路Ａ3 の出力に含まれるＥＰＧ情報のトランスポートストリームがデマルチプレクサＡ4 によって抽出されて１３９４Ｉ／Ｆ回路Ａ5 に供給される。
【００５２】
１３９４Ｉ／Ｆ回路Ａ5 はＥＰＧ情報のトランスポートストリームをアイソクロノスパケットに変換して、１３９４ケーブル12に送出する。共通受信部13の１３９４Ｉ／Ｆ回路14は、１３９４ケーブル12上を流れているアイソクロノスパケットを受信してデパケット化し、元のトランスポートストリームをＴＳデコーダ15に出力する。ＴＳデコーダ15はトランスポートストリームからＥＰＧ情報を抽出して、コントローラ19に出力する。
【００５３】
コントローラ19の画面表示回路26は、ＥＰＧ情報に基づいて画面表示データを作成し、ＮＴＳＣエンコーダ17に与える。ＮＴＳＣエンコーダ17は、画面表示データをＮＴＳＣ方式のディジタル映像信号に変換する。このディジタル映像信号はＤ／Ａコンバータ18によってアナログ信号に変換されて、図示しないモニタに供給される。
【００５４】
図２はこの場合のモニタの表示画面上の番組情報表示を示している。例えば、この番組情報表示の表示からユーザーによる操作が行われることなく所定時間が経過すると、コントローラ19は、次の個別受信部（例えば、個別受信部Ｂ）で受信したＥＰＧ情報に基づく番組情報表示を表示するための制御を行う。以後同様にして、各放送局の番組情報表示が表示される。
【００５５】
いま、Ｐｅｒｆｅｃ−ＴＶ！放送の番組情報表示が表示されている状態において、ユーザーが図２に示す「株式市況」の番組の視聴を希望するものとする。この場合には、ユーザーはリモコンによってこの番組の番組番号である“０Ｃ１３”を入力する。このキー操作に基づく信号は端子22を介してＧＵＩ20に供給される。
【００５６】
ＧＵＩ20はキー操作に基づくデータを画面表示回路26に供給する。これにより、画面表示回路26は、番組情報表示中の入力欄に“０Ｃ１３”を表示する。また、ＧＵＩ20は、この番組番号“０Ｃ１３”を示すデータをコントローラ19に出力する。コントローラ19の送受信機指定回路25は、ＧＵＩ20からのデータに基づいて、送信機として個別受信部Ａを選択するためのコマンドを発生する。また、コントローラ19は、番組番号“０Ｃ１３”の番組を送出させるためのコマンドを送出する。
【００５７】
送信機及び番組番号を指定するためのコントローラ19からのデータは、１３９４Ｉ／Ｆ回路14によってＩＥＥＥ１３９４規格のパケットに変換されて１３９４ケーブル12に送出される。個別受信部Ａの１３９４Ｉ／Ｆ回路Ａ5 は、自機に対するパケットを取り込んでＴＳ選択処理回路Ａ6 に出力する。ＴＳ選択処理回路Ａ6 は番組番号で指定されたトランスポートストリームを選択するための選択信号をデマルチプレクサＡ4 に出力する。
【００５８】
こうして、デマルチプレクサＡ4 は、ユーザーが選択した「株式市況」の番組のトランスポートストリームを選択して１３９４Ｉ／Ｆ回路Ａ5 に出力する。１３９４Ｉ／Ｆ回路Ａ5 は、入力されたトランスポートストリームをＩＥＥＥ１３９４のアイソクロノスパケットに変換して１３９４ケーブル12に送出する。この場合には、１３９４Ｉ／Ｆ回路Ａ5 は、チャンネル番号をアイソクロノスパケットのヘッダに付加する。
【００５９】
このアイソクロノスパケットは共通受信部13の１３９４Ｉ／Ｆ回路14において受信される。１３９４Ｉ／Ｆ回路14は、アイソクロノスリソースマネージャーから取得した、決められた１３９４のチャンネル番号のアイソクロノスパケット、つまりユーザーに選択された番組を伝送しているアイソクロノスパケットを取り込んで、トランスポートストリームに戻す。このトランスポートストリームはＴＳデコーダ15及びＭＰＥＧ２デコーダ16によってデコードされて、ディジタル映像信号が得られる。このディジタル映像信号はＮＴＳＣエンコーダ17によってＮＴＳＣ方式の信号に変換され、Ｄ／Ａコンバータ18においてアナログ信号に変換されてモニタに供給される。こうして、モニタの表示画面上にユーザーが選択した株式市況の番組が映出される。
【００６０】
なお、ユーザーの指定によって番組データの送信機として適宜の個別受信部を指定可能であることは明らかである。例えば、ユーザーがリモコン装置を用いてＰｅｒｆｅｃ−ＴＶ！の所定の番組を指定した場合には、コントローラ19は、送信機として個別受信機Ｅを指定し、また、指定された番組の番組番号に基づくデータを個別受信機Ｅに伝送するようになっている。これにより、モニタの表示画面上にＰｅｒｆｅｃ−ＴＶ！放送の番組情報表示又は番組を映出させることができる。
【００６１】
このように、本実施の形態においては、ディジタルインターフェースとしてＩＥＥＥ１３９４インターフェースを採用し、個別受信部において受信したＭＰＥＧ２のトランスポートストリームをネットワークケーブルを介して共通受信部に伝送している。また、ＭＰＥＧ２のトランスポートストリームのデコード処理以降の処理は共通化可能であり、複数の個別受信部に対して１台の共通受信部によって、各放送局の放送を視聴可能である。デマルチプレクサによって、所望の番組のトランスポートストリームのみを伝送することにより、伝送帯域を効率化しており、ネットワークによる共通受信部との接続を可能にしている。共通の処理が可能な部分は１台の共通受信部によって処理を行っており、回路規模を低減することができる。例えば、ＴＳデコーダ及びＭＰＥＧ２デコーダは、ゲート数の規模で従来例における受信装置の回路規模の約２／３以上を占めている。従って、本実施の形態においては、従来例の約１／３の回路規模で構成することができる。また、複数の放送局の放送を１台の共通受信部に接続された１台のモニタによって視聴することができるので、モニタとの間の配線及び端子数を少なくすると共に、ビデオセレクタを不要にすることができる。
【００６２】
ところで、近年のディジタルデータ伝送においては、データのセキュリティを確保するために、機器間で認証（Authentication）を行うための鍵（key )を用いることがある。機器間で鍵の交換を行って、正しい鍵の交換が行われた場合にのみ、不正なデコーダ等と区別して、正しい相手と認識し、データ伝送を行うのである。
【００６３】
本実施の形態においても、各個別受信部と共通受信部との間で鍵交換を行って、正しく認証が行われた場合にのみデータを伝送する方式を採用してもよい。
【００６４】
図３は本発明の他の実施の形態を示すブロック図である。図３において図１と同一の構成要素には同一符号を付して説明を省略する。
【００６５】
図１の実施の形態においては、共通受信部13は自己を番組データの受信機として指定したが、共通受信部13が受信機とならないこともある。図３はこの場合の例を示しており、共通受信部13のコントローラ19は番組データの受信機として記録装置を指定することも可能である。
【００６６】
本実施の形態は記録装置31を付加した点が図１の実施の形態と異なる。記録装置31は、１３９４Ｉ／Ｆ回路32及び記録処理部33によって構成されている。１３９４Ｉ／Ｆ回路32は、１３９４ケーブル12に流れているデータとＭＰＥＧ２のトランスポートストリームとのインターフェースを行う。記録処理部33は、１３９４Ｉ／Ｆ回路32を介して入力されたトランスポートストリームを記録用のフォーマットに変換して、所定の記録媒体に記録するようになっている。
【００６７】
次に、このように構成された実施の形態の動作について図４を参照して説明する。図４は番組情報表示の表示例を示す説明図である。
【００６８】
個別受信部Ａ，Ｂ，…の動作は図１の実施の形態と同様である。個別受信部Ａ，Ｂ，…からのＥＰＧ情報を含むアイソクロノスパケットは共通受信部13の１３９４Ｉ／Ｆ回路14を介してＴＳデコーダ15に供給される。ＴＳデコーダ15からのＥＰＧ情報に基づいて画面表示回路19は画面表示データを作成する。
【００６９】
画面表示回路19は、“見る番組選択／記録する番組選択”の欄を含む番組情報表示を表示するための画面表示データを出力する。この画面表示データは、ＮＴＳＣエンコーダ17によってＮＴＳＣ方式の信号に変換され、Ｄ／Ａコンバータ18によってアナログ信号に変換されてモニタに供給される。こうして、モニタの表示画面上には例えば図４に示す番組情報表示が表示される。なお、図４は個別受信部Ａが受信したＰｅｒｆｅｃ−ＴＶ！放送の番組情報表示を示している。
【００７０】
いま、ユーザーは、例えば、「大相撲」の放送の録画を希望するものとする。この場合には、ユーザーは、リモコン装置を操作して、「記録する番組選択」を選択する。このリモコン操作に基づく信号はＧＵＩ20に供給され、ＧＵＩ20は、ユーザーが記録番組を選択しようとしていることをコントローラ19に通知すると共に、「記録する番組選択」の表示を太字表示にするためのデータをコントローラ19に供給する。これにより、画面表示回路19は、「記録する番組選択」の表示を太字に変更する。
【００７１】
次に、ユーザーは「大相撲」の番組番号である“０Ｆ６１”をリモコン装置によって入力する。この番号は、画面表示回路19によって表示欄に表示される。また、ＧＵＩ20は、“０Ｆ６１”の番号に対応した情報をコントローラ19に出力する。コントローラ19は、ユーザーが記録を希望した番組の放送日時、番組番号及びこの番組を送信する個別受信部を記憶する。
【００７２】
大相撲の放送日時になると、コントローラ19は、送受信機指定回路25によって、個別受信部Ａを送信機とするためのデータと共に、番組番号“０Ｆ６１”に対応するデータを１３９４Ｉ／Ｆ回路14を介して１３９４ケーブル12上に送出する。また、コントローラ19の送受信機指定回路25は、受信機として記録装置31を指定するためのデータを１３９４Ｉ／Ｆ回路14を介して１３９４ケーブル12上に送出する。
【００７３】
なお、コントローラ19が、送信機及び受信機に対して、送出しようとするアイソクロノスデータの帯域、使用チェンネル番号を指定すると共に、送信機に対して使用可能な帯域及び現在使用されているパケットのチャンネル番号とを指定することは、図１の実施の形態と同様である。
【００７４】
個別受信部Ａの１３９４Ｉ／Ｆ回路Ａ5 は、１３９４ケーブル12からのデータによって、自機が送信機となったことを知る。ＴＳ選択処理回路Ａ6 は、１３９４Ｉ／Ｆ回路Ａ5 から番組番号“０Ｆ６１”に対応するデータが与えられて、デマルチプレクサＡ4 を制御する。これにより、デマルチプレクサＡ4 は、個別受信部Ａで受信したトランスポートストリーム中の「大相撲」の番組を含むトランスポートストリームを抽出して、１３９４Ｉ／Ｆ回路Ａ5 に出力する。１３９４Ｉ／Ｆ回路Ａ5 は、抽出したトランスポートストリームをアイソクロノスパケットに変換する。この場合には、１３９４Ｉ／Ｆ回路Ａ5 は、コントローラ19によって指定されたチャンネル番号をアイソクロノスパケットのヘッダに付加して１３９４ケーブル12に送出する。指定したチャンネルのアイソクロノスパケットを受信可能な機器は、コントローラ19が受信機として指定した記録装置のみである。
【００７５】
即ち、「大相撲」の放送時刻において個別受信部Ａが出力したアイソクロノスパケットについては、記録装置31が受信機となる。記録装置31の１３９４Ｉ／Ｆ回路32は、コントローラ19の指定によって、ヘッダに付加されたチャンネル番号を検出することにより、「大相撲」のトランスポートストリームを含むアイソクロノスパケットを取り込んでトランスポートストリームに変換する。記録処理部33はこのトランスポートストリームを図示しない所定の記録媒体に記録する。
【００７６】
このように、本実施の形態においては、各個別受信部Ａ，Ｂ，…からのデータの受信機として、共通受信部だけでなく、記録装置を指定することも可能である。他の効果は図１の実施の形態と同様である。
【００７７】
なお、上記実施の形態においては、ユーザーが指定した番組の放送日時及び番組番号等を共通受信部13において記録する例を説明したが、個別受信部Ａ，Ｂ，…においてこれらの情報を記憶しておくようにしてもよい。
【００７８】
例えば、共通受信部13は、ユーザーが指定した番組番号をそのまま個別受信部に送信し、番組番号が指定された個別受信部は、受信した放送信号の番組番号との比較を行い、ユーザーが指定した番組番号に一致する番組番号の番組を含むトランスポートストリームをアイソクロノスパケットに変換して１３９４ケーブル上に送出するようにしてもよい。
【００７９】
図５は本発明の他の実施の形態を示すブロック図である。図５において図３と同一の構成要素には同一符号を付して説明を省略する。
【００８０】
図３の実施の形態においては、記録装置31は、トランスポートストリームをそのまま記録するものとして説明した。現在の民生用ディジタルＶＴＲの規格では、トランスポートストリームと記録フォーマットとの変換フォーマットは規格化されており、２つのトランスポートストリームを５つのシンクブロックに変換して記録するようになっている。
【００８１】
しかし、ＤＶＤにおいては、ＭＰＥＧ２のトランスポートストリームを記録フォーマットに変換する変換フォーマットについては規格化されておらず、ＤＶＤは、プログラムストリーム（ＰＳ）を記録するようになっている。本実施の形態は、記録装置31としてこのようなＤＶＤ等を採用した例である。
【００８２】
本実施の形態は共通受信部13に代えて共通受信部41を採用した点が図３の実施の形態と異なる。共通受信部41は、ＴＳデコーダ15の出力を１３９４Ｉ／Ｆ回路14に与えることを可能にしたことが共通受信部13と異なる。１３９４Ｉ／Ｆ回路14は、ＴＳデコーダ15からのプログラムストリーム（ＰＳ）をアイソクロノスパケットに変換して１３９４ケーブル12上に送出することができるようになっている。
【００８３】
このように構成された実施の形態においては、所定の個別受信部によって受信した放送信号を記録する場合には、個別受信部からのアイソクロノスパケットを直接記録装置31に伝送するのではなく、一旦、共通受信部41に伝送する。即ち、共通受信部41の１３９４Ｉ／Ｆ回路14は、１３９４ケーブル12上のトランスポートストリームを含むアイソクロノスパケットを取り込んでトランスポートストリームをＴＳデコーダ15に出力する。ＴＳデコーダ15によってトランスポートストリームはデコードされ、プログラムストリームが１３９４Ｉ／Ｆ回路14に供給される。
【００８４】
１３９４Ｉ／Ｆ回路14は、ＴＳデコーダ15からのプログラムストリームをアイソクロノスパケットに変換して１３９４ケーブル12上に送出する。即ち、この場合には、１３９４ケーブル12上にトランスポートストリームとプログラムストリームとが同時に伝送されることになる。
【００８５】
記録装置31の１３９４Ｉ／Ｆ回路32は、共通受信部13からのプログラムストリームを取り込んで記録処理部33に出力する。こうして、記録処理部33においては、放送信号のプログラムストリームが記録される。従って、この場合には、記録装置31としてＤＶＤを採用することができる。
【００８６】
このように本実施の形態においては、記録装置がトランスポートストリームに対応しておらずプログラムストリームのみに対応している場合でも、放送信号の記録が可能である。
【００８７】
ところで、上記各実施の形態においては、視聴契約内容を記録するＩＣカードを読み取るＩＣカード読み取り装置23が設けられている。このＩＣカードに記録された視聴契約内容に基づいてコントローラ19を制御する方法も考えられる。例えば、ユーザーが視聴又は記録を指示した番組が、ＩＣカードから読み取った視聴契約内容によって視聴契約されていないことが示された場合には、コントローラ19は、この番組を受信する個別受信部を番組データの送信機として指定せず、この番組のアイソクロノスパケットをネットワーク上に送出させない。そして、ＩＣカードに記録されている視聴契約内容によって視聴契約されていることが示された番組を視聴又は記録する場合にのみ、個別受信部からの番組データのネットワーク上への伝送を許可するのである。
【００８８】
なお、ＩＣカード読み取り装置23が共通受信部13に設けられる例について説明したが、ＩＣカード読み取り装置23が各個別受信部に設けられている場合でも、同様の処理が可能である。
【００８９】
また、上記各実施の形態においては、共通受信部をネットワーク上に１つ設けた例について説明したが、複数の共通受信部を設けて、複数のトランスポートストリームを含むアイソクロノスパケットから複数の番組を同時に表示，記録可能にすることもできる。また、共通受信部がテレビジョン受像機等に内蔵されていてもよいことは明らかである。
【００９０】
【発明の効果】
以上説明したように本発明によれば、複数の放送を視聴可能にする場合でも、ネットワーク化してトランスポートストリームを伝送して装置の共通化を図ることにより、装置規模を縮小することができると共に、複数の放送を視聴可能にする場合でも、配線を簡単化すると共に、ビデオセレクタを設けることなく、表示装置の端子数を低減させることができるという効果を有する。
【図面の簡単な説明】
【図１】本発明に係るディジタル放送受信装置の一実施の形態を示すブロック図。
【図２】図１の実施の形態を説明するための説明図。
【図３】本発明の他の実施の形態を示すブロック図。
【図４】図３の実施の形態を説明するための説明図。
【図５】本発明の他の実施の形態を示すブロック図。
【図６】従来例において複数のディジタル放送を受信するシステムを示すブロック図。
【符号の説明】
Ａ，Ｂ，…個別受信部、Ａ1 …チューナ、Ａ2 …復調及び誤り訂正回路、Ａ3 …デスクランブル回路、Ａ4 …デマルチプレクサ、Ａ5 ，14…１３９４Ｉ／Ｆ回路、Ａ6 …ＴＳ選択処理回路、13…共通受信部、15…ＴＳデコーダ、16…ＭＰＥＧ２デコーダ、17…ＮＴＳＣエンコーダ、19…コントローラ、20…ＧＵＩ
【図１】
0003737261.tif 000002
【図２】
0003737261.tif 000003
【図３】
0003737261.tif 000004
【図４】
0003737261.tif 000005
【図５】
0003737261.tif 000006
【図６】
0003737261.tif 000007